(57)【要約】【課題】内容物を袋に詰め、食品と同一の食品容器内に収めている場合に、袋に手を触れることなく袋の内容物を食品に注ぐことを可能にするとともに、袋の置き場所に困らないように、また置いた場所を汚さないようにする。【解決手段】食品容器内を主室と副室に分け、主室と副室の間に導通部を設け、主室には食品を収納し、副室には袋を配置しておき、食する時に破壊手段で袋を押して破壊し副室内に押し込むことにより、袋の内容物を適量だけ食品に注ぐ。【選択図】図１
2006143268.tif 000002
【特許請求の範囲】
【請求項１】
食品を収納し、また取り出して飲食可能な食品容器において、
主室と、少なくとも１つの副室と、
前記主室と前記副室との間には少なくとも１箇所の導通部と、
該副室内部に配置された内容物の入った袋と、
からなり、
破壊手段によって前記袋を破壊する事により
該袋の内容物を前記主室内に出すことを可能とした複室構造の食品容器。
【請求項２】
副室内部に収納される袋は、
外部からの圧力によって容易に剥離可能な弱接合面を有し、
破壊手段により該袋に圧力をかけることによって、
該袋の接合面を剥離させ、内容物を押し出して、
主室内に該袋の内容物を出す事を可能とした請求項１を構成する袋。
【請求項３】
副室内部に収納される袋は、
外部からの圧力によって容易に破壊可能な脆弱部分を有し、
破壊手段により該袋に圧力をかけることによって、
該袋の脆弱部分を破壊し、内容物を押し出して、
主室内に該袋の内容物を出す事を可能とした請求項１を構成する袋。
【請求項４】
副室内部に収納される袋の脆弱部分は、
該袋の一面から他面に向かって、
他面にまでは到達しない鋭利な切れ込みが形成されており、
破壊手段により、袋に対して圧力をかけることによって、
前記切れ込み部分に応力を集中させ容易に脆弱部分を
破壊可能とした請求項３の袋。
【請求項５】
副室内の袋を破壊する破壊手段は、
パイプ状の形状をなし、
該パイプ形状の破壊手段の一端から液体を注いで、
袋の内容物と液体を主室内に注ぐ事を特徴とした破壊手段。
【請求項６】
食品を収納し、また取り出して飲食可能な食品容器において、
主室と、少なくとも１つの副室と、
前記主室と前記副室との間には少なくとも１箇所の導通部と、
該副室内部に配置された糊状あるいはゼリー状の内容物と、
前記糊状あるいはゼリー状の内容物上を覆う落し蓋と、
からなり、
前記落し蓋を押し下げることにより、
該袋の内容物を前記主室内に出すことを可能とした複室構造の食品容器。
【発明の詳細な説明】
【技術分野】
【０００１】
本発明は、袋内の内容物を食品に容易に添加できる食品容器に関するものである。
【背景技術】
【０００２】
使い捨て容器の中に食品を入れて販売する事により、消費者はその食品を食するに当り、自分で準備した食器に食品を盛る必要がなく、便利に食する事が出来る。例えば、カップ入りの納豆には、あらかじめ袋に入った醤油と辛子を添付して販売されている。このようなカップ入り納豆では、パッケージを開けてカップ内の納豆の上に置かれた袋入り醤油と辛子を取り出して開封し、納豆に注ぎかけて攪拌するだけで便利に食する事が出来る。
【０００３】
また、カップの中に即席麺と袋に入った液体スープを入れて販売しているカップ入り即席麺では、パッケージを開けて中の袋を取り出して開封し、麺にかけた後、お湯を注ぎ蓋をして数分待つだけで便利に食する事が出来る。
【０００４】
しかし、カップ入りの納豆はべたべたしているので、醤油の袋と辛子の袋が直接に納豆に触れないように薄いシートを納豆にかけて、その上に醤油の袋と辛子の袋を置いてある事が多い。このような場合、醤油の袋や辛子の袋に納豆のべたべたがついてしまう事がしばしばある。納豆のべたべたは落ちにくく、食事の時に極めていらいらさせられる事が多かった。
【０００５】
また、薄味が好みの人は醤油を全量使用しないで、袋の中に僅かに残すが、袋の置き場所が無いので、仕方なく袋をテーブルの上に置くと、醤油がテーブルの上にこぼれ出す場合が有り、テーブルを汚す事があった。カップ入り即席麺においても、液体スープの袋をテーブルの上に置いたりすることが多く、テーブルを汚す事が有った。さらには、袋が破き辛くいらいらさせられる事が有った。
【０００６】
この改善策として、蓋体に添加物の包装体を取り付ける方法も考案されているが、包装体を回転させるには容器の上部に空間を余分に必要としたり、食器内の食品を食する時には蓋を外すので、必ずしも全てが解決されたとは言い難い。特に袋の中の内容物を全量使用しない場合は蓋体をテーブルに置く事になり、内容物がこぼれる事もあり問題が残っている。
【特許文献１】特許公開２００４−２９２０２５
【０００７】
カップ入り即席麺では自動販売機で自動的にお湯を注ぎ、食べる事が出来る状態で販売されるものが有る。しかし、このような自動販売機で販売できるカップ入り即席麺は油揚げの味付け麺が主流である。中にはカップ内に袋入りの液体スープが入っているタイプのものがあるが、この場合は一度カップを自動販売機から取り出して、消費者が自分で液体スープの袋を破いて麺に注ぎ、その後に再度自動販売機の給湯部に戻して給湯する必要が有った。これが不便なので、現在は自動販売機の場合は油揚げの味付け麺のカップ入り即席麺が主流になっている。
【発明の開示】
【発明が解決しようとする課題】
【０００８】
解決しようとする問題点は、カップ内に入っている袋を手で取り出して開封する必要が有る点である。
【０００９】
また解決しようとする問題点は、開封した袋を置く場所に困る点である。特に袋の中身を全量使用しない場合に、この問題は深刻である。
【課題を解決するための手段】
【００１０】
本発明は、カップ内の袋に手を触れることなく開封する事を可能とするため、カップ内を隔壁で主室と副室に分け、主室と副室の間に導通部を設け、副室内部に袋を配置したことを最も主要な特徴とする。
【００１１】
また本発明は、内容物を入れた袋の接合面に、外部からの圧力によって容易に剥離可能な弱接合面を有した袋を用いた事を第２の特徴とする。
【００１２】
また本発明は、内容物を入れた袋の面に、外部からの圧力によって容易に破壊可能な脆弱部分を有した袋を用いた事を第３の特徴とする。
【００１３】
また本発明は、内容物を入れた袋の破壊可能な脆弱部分として、袋の一面から他面に向かって、他面にまでは到達しない鋭利な切れ込みを有した袋を用いたことを第４の特徴とする。
【００１４】
また本発明は、袋を破壊する破壊手段に、一端を斜めに鋭利にカットしたパイプを用いて、袋を破壊した後は、パイプの他端からお湯等の液体を供給することによって、袋の内容物と伴に主室内に注ぐことを第５の特徴とする。
【００１５】
また本発明は、副室内部にゼリー状にした内容物を収納し、前記内容物の落し蓋を具備し、該落し蓋を押し下げて内容物を主室内に押し出すことを第６の特徴とする。
【発明の効果】
【００１６】
本発明の複室構造の食品容器は、容器の副室内に配置された袋の内容物を、袋を容器の外に取り出すことなく、破壊手段で破壊し、袋を押し下げることによって、内容物を主室内に導き入れることが出来るため、袋に手を触れる必要が無く、手が汚れる事が無いと言う利点がある。また、押し下げ量によって袋の潰れ具合が異なり、内容物を主室に導き入れる量を調節できることから、味を好みに調節できる利点がある。
【００１７】
また、袋を容器の外に取り出す事が無いので、内容物が残った袋を置いてテーブルなどを汚す事が無く、後始末が簡単であると言う利点がある。
【００１８】
請求項５の場合は、容器内にお湯などの液体を注ぐ時に、袋を破壊して内容物を注ぐことができるので、手で袋を開く必要が無く、より風味に優れた食品を、自動販売機などの自動機械で全て自動的に出来ると言う利点が有る。
【００１９】
請求項６の場合はゼリー状の内容物を落し蓋を押し下げることによって、内容物を主室内に導き入れることが出来るため、手が汚れる事が無いと言う利点がある。また、押し下げ量によって内容物を主室に導き入れる量を調節できることから、味を好みに調節できる利点がある。
【発明を実施するための最良の形態】
【００２０】
容器の内にある袋入りの醤油や辛子などの内容物を、袋に手を触れずに、食品に注ぐと言う目的を、消費者に手間をかけさせない方法で実現した。
【実施例１】
【００２１】
図１は、本発明になる一実施例のカップ入り納豆容器の図である。図１において、１は食品容器、２は主室、３は主室と副室の隔壁、４は副室、５は導通部である。
【００２２】
図２は、本発明になる一実施例の袋で醤油や辛子を入れるものである。図２において、６は袋、７は接合面、８は弱接合面である。
【００２３】
図１において、食品容器１は容器の全景を示しており、内部の構造が分かりやすいように容器の前側を切り取って図示している。主室２には図示しない納豆が収納される。隔壁３はラミネートした紙を同じくラミネートした食品容器１の内面に融着させている。副室４は図のように細長い形をしており、袋６を中に入れる。
【００２４】
カップ入り納豆容器では醤油と辛子の２種類があるので、隔壁３は図示している他にもう一つ必要であるが、形状が同じであることから図を見やすくするために図示していない。副室４も図示しないものがもう一つある。以下説明は醤油の場合のみで進めるが、辛子の場合も全く同様である。
【００２５】
次に、本発明になる一実施例のカップ入り納豆容器の作用を説明する。
【００２６】
箸などの破壊手段で副室４の上部から袋６を押して圧力を加えると、袋６内にある醤油の圧力が高まり、弱接合面８の接合が破壊され、醤油が袋６の外に押し出される。押し出された醤油は導通部５を通じて、納豆が入った主室２に注がれる。
【００２７】
袋６は押されると皺が出来て縮み、押された量に比例した醤油を外部に放出する。袋６は隔壁３で保持されており、袋６を押すのを止めると、その状態のまま留まっている。これにより、袋６を押した以上に醤油が主室２に注がれる事は無く、納豆を好みの味付けに出来る。
【００２８】
納豆を食する時に使用する割り箸などを破壊手段として使用でき、袋６には全く手を触れる必要が無い。当然ながら納豆にも手を触れる事は無い。袋は副室４内に納まったままであり、他に置き場所は必要が無い。
【実施例２】
【００２９】
図３は本発明になる一実施例の袋である。図３において、図２と同じ符号のものは同じものを示す。９は脆弱部分である。脆弱部分９は袋の表面から裏面に向かって、裏面までには到達しない鋭い切れ込みを有している。
【００３０】
箸などの破壊手段で副室４の上部から袋６を押して圧力を加えると、袋６内にある醤油の圧力が高まるが、これにより脆弱部分９の切れ込み部分に応力が集中し、切れ込みが成長して、ついには表面から裏面にまで到達して、袋６が破壊され、醤油が袋６の外に押し出される。押し出された醤油は導通部５を通じて、納豆が入った主室２に注がれる。
【００３１】
袋６は押されると皺が出来て縮み、押された量に比例した醤油を外部に放出する。袋６は隔壁３で保持されており、袋６を押すのを止めると、その状態のまま留まっている。これにより、袋６を押した以上に醤油が主室２に注がれる事は無く、納豆を好みの味付けに出来る。
【００３２】
納豆を食する時に使用する割り箸などを破壊手段として使用でき、袋６には全く手を触れる必要が無い。当然ながら納豆にも手を触れる事は無い。袋は副室４内に納まったままであり、他に置き場所は必要が無い。
【実施例３】
【００３３】
図４は破壊手段の一例である。１０は破壊手段である。破壊手段１０は副室４の開口部よりも僅かに小さい断面を有している。また、破壊手段１０の一端には鋭利な突起が付いている。
【００３４】
破壊手段１０の突起のある側を、副室４の上部から袋６に当てて、押して圧力を加えると、突起により袋６が破壊され、醤油が袋６の外に押し出される。押し出された醤油は導通部５を通じて、納豆が入った主室２に注がれる。
【００３５】
破壊手段１０を使用する場合では、袋６には弱接合面や脆弱部分が特に無くても、簡単に袋を破壊でき、袋に直接手を触れる必要が無い。袋は副室４内に納まったままであり、他に置き場所は必要が無い。また、破壊手段１０も副室４内に納まったままであり、他に置き場所は必要が無い。
【実施例４】
【００３６】
次にカップ麺を例として一実施例を説明する。カップ麺においても図１と同様であり、符号も全く同様である。ただし袋６には液体スープが入っている。
【００３７】
図２は、本発明になる一実施例の破壊手段１１である。破壊手段１１は中空のパイプになっており、一端は斜めの切断面をもっており、他の一端はお湯を注ぐ為のホースが接続されている。ホースは図示されていない。
【００３８】
破壊手段１１の斜めの切断面を、副室４の上部から袋６に当てて、押して圧力を加えると、切断面が鋭利であるため袋６が破壊され、液体スープ袋６の外に押し出される。押し出された液体スープは導通部５を通じて、麺が入った主室２に注がれる。
【００３９】
さらに、破壊手段１１の他端からお湯を注ぐので、主室２の中にお湯を満たす事が出来、麺の調理が出来る。このため、カップ麺から液体スープが入った袋を取り出して、手で開封し主室２内の麺に注ぐ必要が無い。
【実施例５】
【００４０】
図１の本発明になる一実施例のカップ入り納豆容器を例にとり、副室４内部に糊状あるいはゼリー状の醤油を収納した例を説明する。図６は本発明になる一実施例の落し蓋１２である。落し蓋１２は副室４の上部を蓋する落し蓋として機能する。
【００４１】
澱粉に水を加えて加熱し糊状にしたものに醤油を入れて混ぜ、糊状にする事により、醤油は流れ出さなくなる。また醤油にゼラチンなどを加えてゼリー状に固めても流れ出さなくなる。
【００４２】
糊状あるいはゼリー状にした醤油を副室４の内部に注入する。調味料である醤油の量は納豆に比べて少なく、副室４は充分に小さく出来る。このため、副室４の内部に注入した糊状あるいはゼリー状の醤油は副室４の中に安定して滞在する。
【００４３】
落し蓋１２は糊状あるいはゼリー状の醤油を入れた副室４の蓋として機能する。落し蓋１２には４辺に鍔が付いており、鍔を片側に折り曲げた状態になっている。落し蓋１４で副室4の蓋をすると折り曲げた鍔の弾力性によって隔壁３に固定される。
【００４４】
箸などで落し蓋１４を押すと、糊状あるいはゼリー状にした醤油は導通部5から押し出されて主室２に注がれる。落し蓋１４の押し下げ量により醤油の量を調節でき、曲げた鍔の弾力性によって隔壁３に固定されるので中間位置で安定して止まる。
【００４５】
以上説明したごとく、実施例５は、醤油や辛子の袋がなくなるので、袋に手を触れる事がなく、手を汚さないで済む。また、袋の置き場所に困る事もない等、非常に大きな効果がある。
【００４６】
その他の実施例。
食品容器１は実施例では円筒形であったが、その形状はどの様な形でもよく、主室と副室に分かれておれば良い。また、副室の数は図では一つ、カップ入り納豆容器では二つであったが、いくつでも良い。
【００４７】
食品容器１は実施例ではラミネートした紙であったが、発泡スチロールでも良く、プラスチック容器でも良い。ガラスや瀬戸物でも良く、容器を形成できるならば何でも良い。
【００４８】
隔壁３は実施例ではラミネートした紙であり、食品容器１の内面に融着させていたが、接着剤で接着しても良い。また、発泡スチロールやプラスチック等を使用して、食品容器１を整形する時に一体物として整形しても良い。
【００４９】
整形する場合においてもその材料は何でも良く、液状や、粉状、あるいは粒状のものを型に注入して固める事が出来るならば何でも良い。あるいは、噴出口から気中あるいは液中に噴出させて整形して固めるようなものでも良い。焼き固めるものでも良い。
【００５０】
隔壁３は、図では容器の最下部まで有るが、副室に底を設ける事により、容器の途中で留めても良い。
【００５１】
袋６はどの様な材料を使用しても良く、内容物を収納できれば良い。
【００５２】
実施例ではカップ入り納豆容器で説明したが、食する時に別にしておいた内容物を添加して食するものであれば、食品容器１に入る食品は何でも良い。袋６に入る内容物も流動物ならば、液状、粉状、粒状等、何でも良い。
【００５３】
実施例５では糊状あるいはゼリー状の醤油であったが、食する時に主室２の食品に添加して食するものであり、糊状あるいはゼリー状に出来るならば、寒天でも良く、ゲル化するならばどの様な内容物でも良い。
【００５４】
実施例５では落し蓋を使用したが、副室開口部が割り箸の断面とほぼ同一であれば、落し蓋を使用せず、割り箸で糊状あるいはゼリー状の内容物を押し下げる事も可能である。
【産業上の利用可能性】
【００５５】
使用時に混ぜて使用する用途であれば、食品に限らず、広く適用できる。
【図面の簡単な説明】
【００５６】
【図１】食品容器の構造を示した説明図である。（実施例１）
【図２】副室に格納される袋の構造を示した説明図である。（実施例１）
【図３】副室に格納される袋の構造を示した説明図である。（実施例２）
【図４】破壊手段の構造を示した説明図である。（実施例３）
【図５】破壊手段の構造を示した説明図である。（実施例４）
【図６】落し蓋の構造を示した説明図である。（実施例５）
【符号の説明】
【００５７】
１    食品容器
２    主室
３    隔壁
４    副室
５    導通部
６    袋
７    接合面
８    弱接合面
９    脆弱部分
１０    破壊手段
１１    パイプ
１２    落し蓋
【図１】
2006143268.tif 000003
【図２】
2006143268.tif 000004
【図３】
2006143268.tif 000005
【図４】
2006143268.tif 000006
【図５】
2006143268.tif 000007
【図６】
2006143268.tif 000008